(57)【要約】【課題】ユーザビリティの高い表示システムを提供する。【解決手段】本発明に係る表示システム１は、映像信号と、上記映像信号の供給源および種類を識別するためのソース識別情報とを出力する出力装置１００と、上記ソース識別情報毎の再生用パラメータを適用して、上記映像信号が表す映像を再生する表示装置２００とを含む。【選択図】図１
2013229761.tif 000002
【特許請求の範囲】
【請求項１】
映像信号を含む各種信号を表示装置に出力する出力部と、
当該表示装置に出力する映像信号の供給源と映像信号の種類とを少なくとも識別するためのソース識別情報を生成するための基礎情報を格納した記憶部と、
上記記憶部から上記基礎情報を読み出して、上記ソース識別情報を生成し、上記出力部に供給する生成部と、
を備えていることを特徴とする出力装置。
【請求項２】
上記基礎情報は、
上記出力装置と別の出力装置とを識別するための機器識別情報と、上記映像信号の種類を識別するための映像信号識別情報とを含んでいる
ことを特徴とする請求項１に記載の出力装置。
【請求項３】
上記生成部は、上記供給源と映像信号の種類とを特定し、上記記憶部から、特定した供給源と映像信号の種類とに対応する機器識別情報と映像信号識別情報とを読み出して、上記ソース識別情報を生成する
ことを特徴とする請求項２に記載の出力装置。
【請求項４】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記出力部に供給する切替制御部とをさらに備えている
ことを特徴とする請求項１から３のいずれか１項に記載の出力装置。
【請求項５】
上記映像信号識別情報は、上記映像信号の周波数帯域に対応して設定されたチャンネルと、上記映像信号のフォーマットとの少なくとも一方を識別するための情報を含んでいることを特徴とする請求項２に記載の出力装置。
【請求項６】
上記出力部は、上記出力装置と上記表示装置との通信の接続および切断を検知し、表示装置との通信が切断された後に再接続を検知した場合（※表示装置との通信が確立していたことは必要。通信の未確立状態から、通信が確立したときに、切断前に表示装置に通知していたソース識別情報を通知することまでは、実施例に記載していない）、切断前に表示装置に通知していたソース識別情報を上記記憶部から読み込み、上記表示装置に再通知する
ことを特徴とする請求項１から５のいずれか１項に記載の出力装置。
【請求項７】
上記出力部は、上記表示装置に対する上記映像信号の出力、および上記ソース識別情報の通知を無線で行う
ことを特徴とする請求項１から６のいずれか１項に記載の出力装置。
【請求項８】
出力装置より出力された映像信号を受け取り、当該映像信号が表す映像を再生する表示装置であって、
上記映像信号の供給源と映像信号の種類とを少なくとも識別するためのソース識別情報を、上記出力装置から取得する取得部と、
上記映像信号の表示のために、上記映像信号に適用するパラメータと、上記ソース識別情報との対応関係を格納した記憶部と、
上記取得部が取得した上記ソース識別情報に対応するパラメータを上記記憶部から読み出し、上記映像信号の補正に適用する再生用パラメータとして設定する制御部と、
を備えていることを特徴とする表示装置。
【請求項９】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記取得部に供給する切替制御部とをさらに備えている
ことを特徴とする請求項８に記載の表示装置。
【請求項１０】
上記出力装置と通信を行う通信部をさらに備え、
上記制御部は、上記通信部を介した上記出力装置との通信状態を検知するとともに、上記出力装置との通信が切断され、再接続されたことを検知した場合に、上記通信が切断される直前に、上記映像信号に適用していた上記パラメータを、上記記憶部から読み出す
ことを特徴とする請求項８または９に記載の表示装置。
【請求項１１】
上記制御部は、上記記憶部に格納することのできる上記ソース識別情報の最大個数Ｎ個から減算するカウンタを用いて、上記ソース識別情報と上記パラメータとの対応関係を管理し、
さらに、上記制御部は、新たに通知されたソース識別情報のカウンタ値を上記Ｎに設定するとともに、上記新たに通知されたソース識別情報以外のソース識別情報について上記Ｎ未満に設定することによって、
上記記憶部に格納された複数の上記ソース識別情報の中から、少なくとも、上記新たに通知されたソース識別情報を上記Ｎによって特定する
ことを特徴とする請求項８から１０のいずれか１項に記載の表示装置。
【請求項１２】
請求項１から７のいずれか１項に記載の出力装置と、
請求項８から１１のいずれか１項に記載の表示装置と
を含んでいる
ことを特徴とする表示システム。
【請求項１３】
請求項１から７の何れか１項に記載の出力装置が備えている各部、または、請求項８から１１のいずれか１項に記載の表示装置が備えている各部としてコンピュータを動作させるためのプログラム。
【請求項１４】
請求項１３に記載のプログラムを格納したコンピュータ読取可能な記録媒体。
【発明の詳細な説明】
【技術分野】
【０００１】
本発明は、表示装置に映像信号を出力する出力装置と、上記映像信号が表す映像を再生する表示装置との間の、上記映像信号の再生に適用すべき再生用パラメータの設定を行う技術に関する。
【背景技術】
【０００２】
テレビジョン受像機（テレビ）には、多種多様な複数の映像信号を、再生する映像信号に応じた最適な再生用パラメータを適用して、再生する機能が求められている。再生用パラメータとは、例えば、画質、または音質、または音量のいずれか、あるいは任意の組合せを含む、映像信号の再生に際して適用される再生設定情報である。
【０００３】
下掲の〔特許文献１〕には、選局時あるいは外部入力切替時に、放送局および外部入力毎に音量およびカラー調整値に補正を加えるテレビが開示されている。
【０００４】
また、テレビの高機能化が進んだ近年では、様々な種類の外部機器とテレビとの連携が可能になっている。上記外部機器として、例えば、複数の異なる映像信号を受け取ることのできるレコーダを挙げることができる。
【０００５】
このような連携において、外部機器が出力する映像信号ごとに、表示に際して適用すべき表示設定を変更することが考えられる。このような場合、外部機器は、映像信号ごとに、表示設定に係る情報（より具体的にはパラメータ）を保存しておき、外部機器がテレビへ出力する映像信号を切り替える際、外部機器は、切替後の映像信号に対応する表示設定情報を読込み、上記表示設定情報を上記テレビに通知する構成が考えられる。
【０００６】
さらに、テレビの薄型化に伴い、テレビを、映像信号が表す映像を再生する表示装置と、上記表示装置で表示される映像信号を上記表示装置へ出力する出力装置とに分離した構成のテレビシステムが開発されている。
【０００７】
ここで、表示装置とは例えばモニタであり、出力装置は、ＳＴＢ（Ｓｅｔ  Ｔｏｐ  Ｂｏｘ，セット トップ ボックス）、またはチューナーを含む。上記テレビシステムにおける出力装置は、上記テレビに接続される上記外部機器を含む概念である。
【０００８】
また、上記出力装置として、上記出力装置とは別の、レコーダを含む外部機器との接続がさらに可能な出力装置もある。
【先行技術文献】
【特許文献】
【０００９】
【特許文献１】特開平９−３７１７４号公報（１９９７年２月７日公開）
【発明の概要】
【発明が解決しようとする課題】
【００１０】
映像信号に応じて、最適な再生用パラメータを選択して、上記映像信号を再生しようとする従来の技術について、以下の問題がある。
【００１１】
（特許文献１に係る課題１）
まず、前記特許文献１に開示されている、放送局および外部入力毎に音量およびカラー
調整値を補正する従来のテレビは、表示装置と出力装置とを分離させる構成が想定されていない。
【００１２】
前記特許文献１の技術は、ＣＲＴ（Ｃａｔｈｏｄｅ  Ｒａｙ  Ｔｕｂｅ、ブラウン管）と、スピーカと、映像復調回路と、音声復調回路と、音声増幅回路と、選局回路とは同じ筐体中に含まれる。そして、上記筐体中に、放送局および外部入力毎の音量およびカラー調整値の補正を行う制御回路が含まれている。
【００１３】
従って、上記制御回路から、上記映像復調回路と、上記音声復調回路と、上記音声増幅回路とへの通信の接続が切れることは想定されていない。
【００１４】
しかし、前述の通り、現在のテレビとしては、表示装置と出力装置とが一体型のものばかりではなく、高機能化と薄型化とが同時に求められるテレビにあっては、表示装置と出力装置とを分離させる構成を想定しておくことが必要となる。
【００１５】
特に、テレビのユーザビリティの向上を考えれば、表示装置と出力装置とをワイヤレス接続する構成のテレビシステムが、重要な選択肢の一つとなる。
【００１６】
表示設定を制御する表示設定制御部と、上記表示設定制御部によって表示設定を制御される表示部との制御がワイヤレス接続を介したものである場合、その接続が切れた場合に、表示設定を如何に制御するかは、特に重要となる。
【００１７】
従って、前記特許文献１の技術は、表示装置と出力装置とを分ける構成のテレビシステムに適用できるものではない。
【００１８】
（特許文献１に係る課題２）
前記特許文献１の技術は、第２に、選局変更も外部入力切替も行われない状況下では、適用すべき再生用パラメータを変更することができない。
【００１９】
しかし、複数の異なる映像信号を受け取るテレビについて、選局変更も外部入力切替も行われない状況下で、表示に際して適用すべきパラメータのみを変更することが、テレビに求められることがある。
【００２０】
例えば、同じ放送局から放送される番組が、時間によって、いわゆる標準放送の番組であったり、ハイビジョン放送の番組であったりする。当然、標準放送の場合とハイビジョン放送の場合とでは、異なる再生用パラメータの適用がテレビに求められる。
【００２１】
さらに、複数の映像入力切換に対応したレコーダを含む、様々な種類の外部機器と連携しているテレビにあっては、テレビに対しては選局変更も外部入力切替も行わず、外部機器において選局変更を行う場合がある。
【００２２】
この場合にも、選局変更に応じて、適用すべき再生用パラメータの変更がテレビに求められることは、十分に考えられる。
【００２３】
しかし、前記特許文献１の技術は、音量およびカラー調整値の補正の契機として、選局あるいは外部入力切替時を想定しているため、選局変更も外部入力切替も行われない状況下で、適用すべき再生用パラメータのみを変更することはできない。
【００２４】
（外部機器が再生用パラメータをテレビに出力する技術の問題）
さらに、パラメータテーブルを備え、再生用パラメータをテレビに通知する外部機器に
ついては、下記の問題がある。
【００２５】
すなわち、ユーザが外部機器の映像信号の切換操作を行ってから、再生用パラメータが適用されたテレビに映像が表示されるまでの応答性が悪いという問題である。
【００２６】
上記外部機器が出力する再生用パラメータは、画質、または音質、または音量のいずれか、あるいは任意の組合せを含み、データ量が多いことが、その原因である。このため、上記外部機器とテレビとの間の通信において遅延が発生し、応答性が悪くなる。
【００２７】
例えば、外部機器とテレビとがワイヤレス接続されている場合のように、外部機器とテレビとの通信速度が限られている場合、上記応答性という問題はとりわけ深刻である。
【００２８】
また、上記外部機器とテレビとの間の接続が途切れた場合、上記テレビは、表示に適用すべき再生用パラメータを保持していないため、再接続時に全パラメータの再取得が必要となる。つまり、再接続の都度、前述のような再生用パラメータの出力による遅延が発生する。
【００２９】
特に、電波状況が悪い中でのワイヤレス接続のような、外部機器とテレビとの通信が切断と再接続とを繰り返すような環境下では、これは大きな問題となる。
【００３０】
本発明は、上記問題に鑑みなされたものであり、その主たる目的は、種類の異なる映像ソース信号を入力する表示装置において、映像ソース信号に応じた再生用パラメータを高い応答性にて適用する表示装置を提供することにある。また、そのような表示装置を含む表示システム、およびそのような表示システムに用いることのできる出力装置を提供することにある。
【課題を解決するための手段】
【００３１】
前述の課題を解決するために、本発明に係る出力装置は、
(1)映像信号を含む各種信号を表示装置に出力する出力部と、
(2)当該表示装置に出力する映像信号の供給源と映像信号の種類とを少なくとも識別する
ためのソース識別情報を生成するための基礎情報を格納した記憶部と、
(3)上記記憶部から上記基礎情報を読み出して、上記ソース識別情報を生成し、上記出力
部に供給する生成部と
を備えていることを特徴としている。
【００３２】
前記構成によれば、上記出力装置が出力部を介して、ソース識別情報を示す信号を上記各種信号の１つとして、表示装置に出力する。その結果、表示装置は、出力装置から通知されたソース識別情報に基づいて、映像信号の供給源と映像信号の種類とを少なくとも識別することができる。従って、表示装置は、再生しようとする映像信号に適用すべき再生用パラメータの決定のために、ソース識別情報を用いることができる。
【００３３】
すなわち、表示装置は、再生用パラメータの情報よりシンプルなソース識別情報を用いて、出力装置から再生用パラメータを受け取る方式と同じ動作結果を得ることができる。
【００３４】
これにより、出力装置が、再生用パラメータそのものを表示装置に出力する場合に比べて、上記表示装置に出力するデータ量は、十分に小さくなる。
【００３５】
従って、上記出力装置と上記表示装置との間の通信の遅延が改善または解消される。
【００３６】
つまり、上記出力装置と表示装置とが、有線または無線による通信を確立した後、表示
装置が出力装置から受け取った映像信号に再生用パラメータを適用して上記映像信号を再生するまでの応答性が改善し、ユーザビリティが向上する。
【００３７】
本発明に係る出力装置では、上記基礎情報が、上記出力装置と別の出力装置とを識別するための機器識別情報と、上記映像信号の種類を識別するための映像信号識別情報とを含んでいることが好ましい。
【００３８】
前記構成によれば、上記機器識別情報は、映像信号の種類が同じだが映像信号の供給源が異なる映像信号を区別し、上記映像信号識別情報は、映像信号の供給源が同じだが映像信号の種類が異なる映像信号を区別する。
【００３９】
従って、上記ソース識別情報を受け取った表示装置は、上記ソース識別情報に対応する映像信号について、上記機器識別情報によって供給源を識別し、上記映像信号識別情報によって信号の種類を識別することができる。
【００４０】
本発明に係る出力装置では、上記生成部が、上記供給源と映像信号の種類とを特定し、上記記憶部から、特定した供給源と映像信号の種類とに対応する機器識別情報と映像信号識別情報とを読み出して、上記ソース識別情報を生成することが好ましい。
【００４１】
前記構成によれば、供給源は、上記出力装置自体の１つのみであってもよいが、上記出力装置が、別の出力装置から映像信号を取得してもよいので、この場合には、別の出力装置が供給源となる。したがって、供給源は複数を想定することができる。
【００４２】
また、映像信号の種類に関しても、上記出力装置が１種類のみの映像信号を出力する形態も本発明に含まれるが、上記出力装置が複数種類の映像信号を入出力する形態を当然に含んでいる。
【００４３】
従って、機器識別情報と映像信号識別情報とを含んで生成されるソース識別情報は、複数のパターンを取り得る。
【００４４】
そこで、上記記憶部には、複数パターンのソース識別情報に対応できるように、１つ以上の出力装置を識別するための機器識別情報と、１つ以上の映像信号の種類を識別するための映像信号識別情報とが少なくとも記憶されている。従って、生成部は、映像信号を解析することによって特定した供給源と映像信号の種類とに対応する機器識別情報と映像信号識別情報とを記憶部から選択的に読み出すことにより、複数パターンのソース識別情報を容易に生成することができる。
【００４５】
本発明に係る出力装置は、上記映像信号を第１の映像信号とすると、上記出力装置とは別の出力装置から出力された第２の映像信号を取得する映像信号取得部と、上記第１の映像信号と、上記第２の映像信号とを切り替えて、上記出力部に供給する切替制御部とをさらに備えていることが好ましい。
【００４６】
前記構成によれば、上記出力装置は、別の出力装置を供給源として取得する映像信号と自己が供給源となっている映像信号とを、ソース識別情報とともに、切り替えて出力することができる。
【００４７】
なお当然、第１の映像信号と第２の映像信号とは、同じ種類の映像信号であってもよいし、異なる種類の映像信号であってもよい。
【００４８】
上記映像信号識別情報は、上記映像信号の周波数帯域に対応して設定されたチャンネル
と、上記映像信号のフォーマットとの少なくとも一方を識別するための情報を含んでいるが好ましい。
【００４９】
前記構成によれば、上記ソース識別情報は、上記映像信号の供給源を識別する情報に加え、上記映像信号のチャンネルとフォーマットとの少なくとも一方を識別するための情報を含んでいる。
【００５０】
なおここで、映像信号のフォーマットとは、例えば、映像信号の解像度、フレームレート、アスペクト比または圧縮方式などの仕様を定めた情報であり、ハイビジョン放送の映像信号と、標準放送の映像信号とでは、上記フォーマットが異なっている。
【００５１】
従って、映像信号識別情報が、チャンネルを識別するための情報を含んでいる場合には、例えば、映像信号が、地上波放送または衛星放送のどのチャンネルの映像信号なのかを表示装置は識別することができる。また、映像信号識別情報が、映像信号のフォーマットを識別するための情報を含んでいる場合には、例えば、映像信号が、ハイビジョン放送の映像信号なのか、標準放送の映像信号なのかを表示装置は識別することができる。
【００５２】
さらに、映像信号識別情報が、チャンネルとフォーマットとを識別するための情報を含んでいる場合には、チャンネルとフォーマットの複数の組み合わせのいずれであるかを表示装置は識別することができる。
【００５３】
上記映像信号識別情報は、上記出力部が、上記出力装置と上記表示装置との通信の接続および切断を検知し、表示装置との通信が切断された後に再接続を検知した場合、切断前に表示装置に通知していたソース識別情報を上記記憶部から読み込み、上記表示装置に再通知することが好ましい。
【００５４】
前記構成によれば、再接続時において、出力装置は再生用パラメータ自体の再出力が不要であり、再生用パラメータに比べてデータ量が十分小さなソース識別情報を上記表示装置に再出力すればよい。
【００５５】
従って、再接続時に表示装置が必要とする、再生用パラメータの再設定に係る時間が短縮され、ユーザビリティが向上する。
【００５６】
上記映像信号識別情報は、上記出力部が、上記表示装置に対する上記映像信号の出力、および上記ソース識別情報の通知を無線で行うことが好ましい。
【００５７】
前述のように、映像信号に適用すべき再生用パラメータを通知するために、送信装置が、再生用パラメータそのものを表示装置に出力する方式では、再生用パラメータのデータ量が大きいことが原因となって、出力装置と表示装置との間の通信遅延が発生し得る。
【００５８】
そして、表示装置に映像信号を出力する出力装置と、上記映像信号を再生する表示装置との通信が無線で行われている場合、上記出力装置と表示装置との間で、接続と切断とが頻繁に繰り返されることが想定される。
【００５９】
従って、上記出力装置と表示装置との間で接続と切断とが頻繁に繰り返された場合、送信装置が再生用パラメータそのものを表示装置に出力する方式では、再接続の都度、上記通信遅延が発生する可能性が高く、ユーザビリティは極めて低い。
【００６０】
前記構成によれば、再接続時にも、上記出力装置は、再生用パラメータそのものに比べて十分データ量の小さなソース識別情報を出力することで、再生用パラメータそのものを
出力する方式と同じ動作結果を得ることができる。
【００６１】
つまり、再生用パラメータの通知のための遅延が、再接続の都度、発生するという事態を回避することができ、ユーザビリティが向上する。
【００６２】
本発明に係る表示装置は、出力装置より出力された映像信号を受け取り、当該映像信号が表す映像を再生する表示装置であって、
(1)上記映像信号の供給源と映像信号の種類とを少なくとも識別するためのソース識別情
報を、上記出力装置から取得する取得部と、
(2)上記映像信号の表示のために、上記映像信号に適用するパラメータと、上記ソース識
別情報との対応関係を格納した記憶部と、
(3)上記取得部が取得した上記ソース識別情報に対応するパラメータを上記記憶部から読
み出し、上記映像信号の補正に適用する再生用パラメータとして設定する制御部と、
を備えていることを特徴としている。
【００６３】
前記構成によれば、上記ソース識別情報を受け取った表示装置は、少なくとも供給源および種類ごとに、対応する再生用パラメータを適用して、上記映像信号が表す映像を再生することができる。
【００６４】
表示装置は、映像信号に適用すべき再生用パラメータを、再生用パラメータに比べてデータ量が十分小さい、上記ソース識別情報を受け取ることによって決定することができる。
【００６５】
従って、再生用パラメータそのものを受け取る場合に比べ、上記出力装置と上記表示装置との間の通信の遅延が改善または解消される。
【００６６】
つまり、上記出力装置と表示装置とが、有線または無線による通信を確立した後、表示装置が出力装置から受け取った上記映像信号に適用すべき再生用パラメータを適用して上記映像信号を再生するまでの応答性が改善し、ユーザビリティが向上する。
【００６７】
本発明に係る表示装置は、上記映像信号を第１の映像信号とすると、上記出力装置とは別の出力装置から出力された第２の映像信号を取得する映像信号取得部と、上記第１の映像信号と、上記第２の映像信号とを切り替えて、上記取得部に供給する切替制御部とをさらに備えていることが好ましい。
【００６８】
前記構成によれば、上記表示装置は、複数の供給源から取得する映像信号を切り替えて、少なくとも供給源および映像信号の種類ごとに適用すべき再生用パラメータを特定して適用して、再生することができる。
【００６９】
なお当然、第１の映像信号と第２の映像信号とは、同じ種類の映像信号であってもよいし、異なる種類の映像信号であってもよい。
【００７０】
本発明に係る表示装置は、上記出力装置と通信を行う通信部をさらに備え、上記制御部は、上記通信部を介した上記出力装置との通信状態を検知するとともに、上記出力装置との通信が切断され、再接続されたことを検知した場合に、上記通信が切断される直前に、上記映像信号に適用していた上記パラメータを、上記記憶部から読み出すことが好ましい。
【００７１】
前記構成によれば、再接続時において、表示装置は、上記出力装置からのソース識別情報を受け取ることなく、再生用パラメータの再設定を行うことができる。
【００７２】
従って、再接続時において、早急に再生用パラメータの再設定が実施され、ユーザビリティが向上する。
【００７３】
本発明に係る表示装置は、上記制御部が、上記記憶部に格納することのできる上記ソース識別情報の最大個数Ｎ個から減算するカウンタを用いて、上記ソース識別情報と上記パラメータとの対応関係を管理し、さらに、上記制御部は、新たに通知されたソース識別情報のカウンタ値を上記Ｎに設定するとともに、上記新たに通知されたソース識別情報以外のソース識別情報について上記Ｎ未満に設定することによって、上記記憶部に格納された複数の上記ソース識別情報の中から、少なくとも、上記新たに通知されたソース識別情報を上記Ｎによって特定することが好ましい。
【００７４】
前記構成によれば、表示装置は、再接続時に、カウンタ値のみによって、容易に再設定すべき再生用パラメータを決定することができ、ユーザビリティがさらに向上する。
【００７５】
本発明に係る表示システムは、上記出力装置と、上記表示装置とを含んでいることを特徴としている。
【００７６】
前記構成によれば、上記出力装置の映像信号の切換操作を行ってから、表示装置が上記映像信号に適用すべき再生用パラメータを適用して上記映像信号を再生するまでの応答性の早い、ユーザビリティの高い表示システムを提供することができる。
【００７７】
なお、前記いずれかの出力装置が備えている各部、または、前記いずれかの表示装置が備えている各部としてコンピュータを動作させるためのプログラム、およびそのプログラムを格納したコンピュータ読取可能な記録媒体もまた、本発明の範疇に含まれる。
【００７８】
なお、上記映像信号は、地上デジタル放送、ＣＳ放送、ＢＳ放送などの放送系ソースから供給される映像信号に限定されない。例えば、ＩＰＴＶやＶＯＤなどの通信系ソース、ハードディスクドライブや光ディスクドライブなどの媒体系ソース、又は、ウェブブラウザやＵＳＢアプリケーション（ＵＳＢメモリに格納されたコンテンツを再生するアプリケーション）などのアプリケーション系ソースから供給される映像信号も、上記映像信号の一例である。
【００７９】
また上記映像信号は、動画像を表す映像信号に限定されず、静止画像を表す映像信号であってもよい。
【００８０】
さらに上記映像信号は、アプリケーション系ソースから供給される映像信号のように、ＵＩ（ユーザインタフェース）を表す映像信号であってもよい。
【発明の効果】
【００８１】
本発明に係る出力装置は、
(1)映像信号を含む各種信号を表示装置に出力する出力部と、
(2)当該表示装置に出力する映像信号の供給源と映像信号の種類とを少なくとも識別する
ためのソース識別情報を生成するための基礎情報を格納した記憶部と、
(3)上記記憶部から上記基礎情報を読み出して、上記ソース識別情報を生成し、上記出力
部に供給する生成部と
を備えている。
また、本発明に係る表示装置は、出力装置より出力された映像信号を受け取り、当該映像信号が表す映像を再生する表示装置であって、
(1)上記映像信号の供給源と映像信号の種類とを少なくとも識別するためのソース識別情
報を、上記出力装置から取得する取得部と、
(2)上記映像信号の表示のために、上記映像信号に適用するパラメータと、上記ソース識
別情報との対応関係を格納した記憶部と、
(3)上記取得部が取得した上記ソース識別情報に対応するパラメータを上記記憶部から読
み出し、上記映像信号の補正に適用する再生用パラメータとして設定する制御部と、
を備えている。
【００８２】
上記構成によれば、再生用パラメータを適用して上記映像信号を再生するまでの応答性が改善し、ユーザビリティが向上する。
【図面の簡単な説明】
【００８３】
【図１】本発明の一実施形態に係る表示システムの概要を示すブロック図である。
【図２】図１の表示装置が初めてソースＩＤを検知する前と後とでの、出力装置および表示装置の処理の概要を示すシーケンス図である。
【図３】図２の状態に続いて、表示装置が別の映像信号への変更を検知する前と後とでの、出力装置および表示装置の処理の概要を示すシーケンス図である。
【図４】図３の状態に続いて、表示装置が既登録済みソースＩＤに対応する映像信号への変更を検知する前と後とでの、出力装置および表示装置の処理の概要を示すシーケンス図である。
【図５】図４の状態に続いて、表示装置が出力装置の変更を検知する前と後とでの、出力装置および表示装置の処理の概要を示すシーケンス図である。
【図６】パラメータテーブルに空き領域が無い状態で、パラメータテーブルに登録されていないソースＩＤに対応する映像信号への変更を表示装置が検知する前と後とでの、出力装置および表示装置の処理の概要を示すシーケンス図である。
【図７】本発明に係る表示システムにおける、パラメータテーブルの一例を示す図である。
【図８】本発明の一実施形態に係る、チューナー機能のみを備える出力装置の一例を示す図である。
【図９】本発明の一実施形態に係る、プレイヤ機能のみを備える出力装置の一例を示す図である。
【図１０】本発明の一実施形態に係る、映像再生機能のみを備える映像装置の一例を示す図である。
【発明を実施するための形態】
【００８４】
以下では、本発明の実施の形態について図面を参照して説明する。
【００８５】
（ハードウェア構成例）
図１は、本発明の一実施形態に係る表示システムの概要を示すブロック図である。本発明に係る表示システム１は、大別して、映像信号を再生する表示装置２００と、上記表示装置へ上記映像信号を出力する出力装置１００とを備えている。
【００８６】
本実施例において、出力装置１００と表示装置２００との通信は無線によって行われているが、当然、有線で通信することも可能である。
【００８７】
（出力装置のハードウェア構成例）
出力装置１００は、アンテナ１１０と選局部１２０とを備え、多チャンネルのテレビ放送の受信に対応している。
【００８８】
また、出力装置１００は、外部映像入力１３０および１４０（映像信号取得部）を持ち、ＨＤＭＩ対応機器を含む、出力装置１００以外の１つ以上の出力装置（図示しない）と
接続し得る。なお、出力装置１００に接続する他の出力装置は、出力装置１００との区別を明確にするため、これ以後、外部装置と呼ぶことにする。
【００８９】
さらに出力装置１００は、記憶部１８０を備え、記憶部１８０中にソースＩＤテーブル１８１を有している。このソースＩＤテーブル１８１には、上記テレビ放送のチャンネルごとに受信する映像信号、または外部装置から受け取る映像信号を一意に特定するためのソースＩＤ（ソース識別情報）が、格納されている。
【００９０】
なお、出力装置１００は、表示装置２００と通信を行う通信部１９０（出力部）を備えている。
【００９１】
（ソースＩＤ）
ソースＩＤは、各映像信号の種類を識別する映像信号ＩＤと、下記の機器ＩＤとを組み合わせたＩＤである。
【００９２】
機器ＩＤとは、最終的に表示装置２００が受け取る上記映像信号の、取得元装置、または経由装置を識別するＩＤである。従って、出力装置１００と、出力装置１００に接続している外部装置とは、それぞれ別の機器ＩＤを割り当てられる。外部装置の数が複数である場合には、外部装置ごとに、異なる機器ＩＤが割り当てられる。
【００９３】
なお、映像信号ＩＤによって、どのチャンネル（周波数帯域）の放送か、例えば、地上デジタル放送のどのチャンネルの放送か、またはＢＳ放送のどのチャンネルの放送かを区別することができるほか、映像信号のフォーマットの識別、例えば標準放送なのかそれともハイビジョン放送なのかといった識別を行うことができる。
【００９４】
従って、相互に異なる複数のレコーダに録音された同じハイビジョン放送は機器ＩＤによって識別することができ、また同じレコーダに録音された標準放送とハイビジョン放送とは映像信号ＩＤによって識別することができる。当然、出力装置１００がアンテナ１１０を介して受信する多チャンネルの各々も、映像信号ＩＤによって識別することができる。
【００９５】
（出力装置の動作の概要）
出力装置１００は、リモコン１５０から送信された映像切り替え信号をリモコン信号受信部１６０で受信し、切替制御部１７０（生成部）へ出力する。これにより、切替制御部１７０において、映像信号の切替処理が実行される。
【００９６】
上記映像信号の切替処理の際、切替制御部１７０は、ソースＩＤテーブル１８１から、切り替え後の映像信号に対応するソースＩＤを読み込み、通信部１９０を介して、表示装置２００に上記ソースＩＤを出力する。
【００９７】
上記ソースＩＤの、表示装置２００への出力後、出力装置１００は、同じく通信部１９０を介して、表示装置２００へ上記映像信号を出力する。なお、上記映像信号は、後述する映像信号毎の再生用パラメータにより補正される前の映像信号である。
【００９８】
（表示装置のハードウェア構成例）
表示装置２００は、アンテナ２０１と選局部２０２とを備え、多チャンネルのテレビ放送の受信に対応している。
【００９９】
また表示装置２００は、通信部２０３（映像信号取得部）と通信部２０４（映像信号取得部）とを備え、複数の出力装置と接続することができる。
【０１００】
表示装置２００は、通信部２０３または２０４を介して出力装置から受け取った映像信号の切替制御を実行する切替制御部２０７を備えている。
【０１０１】
また表示装置２００は、リモコン２０５から送信された映像切り替え信号を、リモコン信号受信部２０６で受信し、切替制御部２０７へ出力する。これにより、切替制御部２０７において、映像信号が切り替えられる。
【０１０２】
表示装置２００は、パラメータテーブル２１７を有する記憶部２１６を備えている。パラメータテーブル２１７には、ソースＩＤ毎に、映像信号の補正に適用すべき再生用パラメータを保持している。
【０１０３】
このほか、表示装置２００は、後述するように、ソースＩＤ検出部２０８、映像信号処理部２０９、制御部２１０、映像補正部２１１および音声補正部２１２を備えている。
【０１０４】
（表示装置の動作の概要）
通信部２０３は、出力装置１００によって出力されたソースＩＤを受け取り、上記ソースＩＤを切替制御部２０７へ送る。
【０１０５】
切替制御部２０７は、上記ソースＩＤをソースＩＤ検出部２０８に送り、ソースＩＤ検出部２０８が上記ソースＩＤを検出し、制御部２１０へ送る。
【０１０６】
制御部２１０は、パラメータテーブル２１７から、上記ソースＩＤに対応する再生用パラメータを読み込み、映像補正部２１１および音声補正部２１２に通知する。
【０１０７】
パラメータテーブル２１７には、通信部２０３と通信部２０４とを介して表示装置２００と通信を行っている各出力装置のソースＩＤに加え、アンテナ２０１を介して取得する映像信号ごとのソースＩＤも保存されている。
【０１０８】
なお当然、アンテナ２０１と選局部２０２とを介して取得する映像信号の機器ＩＤは同じであり、映像信号ＩＤのみが異なる。
【０１０９】
アンテナ２０１を介して取得する映像信号についても、制御部２１０は、上記映像信号のソースＩＤに対応する再生用パラメータをパラメータテーブル２８１から読み込み、映像補正部２１１および音声補正部２１２に設定する。
【０１１０】
アンテナ２０１を介して取得する映像信号と、通信部２０３を介して取得する映像信号と、通信部２０４を介して取得する映像信号とは、全て、いったん切替制御部２０７を経由して、映像信号処理部２０９へ送られる。
【０１１１】
映像信号処理部２０９は、上記映像信号を画像データと音声データとに分離し、画像データを映像補正部２１１に、音声データを音声補正部２１２に送る。
【０１１２】
映像補正部２１１は、上記画像データに対し、制御部２１０から通知された再生用パラメータに基づく補正を行った後、ディスプレイ２１４で表示する。
【０１１３】
音声補正部２１２は、上記音声データに対し、制御部２１０から通知された再生用パラメータに基づく補正を行った後、スピーカ２１５で出力する。
【０１１４】
また、映像信号表示中に、リモコン２０５から再生用パラメータの変更にかかる信号を
リモコン信号受信部２０６が受信した場合、リモコン信号受信部２０６は、上記信号を制御部２１０へ送る。
【０１１５】
制御部２１０は、変更の要求があった再生用パラメータを、映像補正部２１１または音声補正部２１２のいずれか、あるいは両方に適用するとともに、記憶部２１６中のパラメータテーブル２１７に保存されている、現在使用中の映像信号に対応したパラメータの書き換えを行う。
【０１１６】
（ソースＩＤおよび再生用パラメータの設定方法の概要）
（出力装置の動作）
前述の通り、出力装置１００は、ソースＩＤテーブル１８１を有し、機器ＩＤと映像信号ＩＤとを含むソースＩＤを、上記ソースＩＤテーブル１８１に予め格納している。
【０１１７】
上記機器ＩＤは、外部装置のそれぞれと、上記出力装置１００自体とを識別するためのＩＤであり、上記映像信号ＩＤは、各上記機器ＩＤに対応する出力装置、または外部装置のそれぞれが有する複数の映像信号の種類を各々識別するＩＤである。
【０１１８】
従って、出力装置１００は、表示装置２００が出力装置１００から受け取る映像信号と、上記映像信号が表示装置２００へ出力されるまでに経由した出力装置、または外部装置のそれぞれとを識別するためのソースＩＤを保持する。
【０１１９】
つまり、表示装置２００は、上記ソースＩＤによって、映像信号と、上記映像信号が経由してきた出力装置および外部装置とを一意に識別することができる。
【０１２０】
出力装置１００は、通信部１９０を介して表示装置２００との接続を検知した場合、または、リモコン信号受信部１６０を介して映像信号の切り替え要求を検知した場合、ソースＩＤテーブル１８１から、現在選択されている映像信号のソースＩＤを読み込む。
【０１２１】
出力装置１００は、上記該当するソースＩＤを表示装置２００に出力した後、さらに、上記ソースＩＤに対応する映像信号を表示装置２００へ出力する。
【０１２２】
（表示装置の動作）
表示装置２００はパラメータテーブル２１７を有し、パラメータテーブル２１７の各レコードは、ソースＩＤと、再生用パラメータと、カウンタ値とを、要素として含む。なお、カウンタ値について、詳細は後述し、まずソースＩＤと再生用パラメータとについて説明する。
【０１２３】
ソースＩＤ検出部２０８は、出力装置１００が出力したソースＩＤを検出し、上記ソースＩＤを制御部１０へ送る。
【０１２４】
制御部２１０は、上記通知されたソースＩＤと、パラメータテーブル２１７に保存されているソースＩＤとを比較し、パラメータテーブル２１７に保存されているソースＩＤの中に、上記通知されたソースＩＤと同じものが登録されているか否かを確認する。
【０１２５】
上記通知されたソースＩＤがパラメータテーブル２１７に保存されていない場合、上記通知されたソースＩＤをパラメータテーブル２１７に追加し、上記通知されたソースＩＤに対応する再生用パラメータとして、再生用パラメータのデフォルト値を入れる。
【０１２６】
上記通知されたソースＩＤがパラメータテーブル２１７に保存されていた場合、上記通知されたソースＩＤのパラメータテーブル２１７への追加は行わない。
【０１２７】
また、映像信号表示中に、再生用パラメータの変更に係るリモコン２０５からの信号をリモコン信号受信部２０６が受信した場合、リモコン信号受信部２０６は、上記信号を制御部２１０へ送る。
【０１２８】
制御部２１０は、リモコン信号受信部２０６から受け取った再生用パラメータ変更情報に従って、記憶部２１６中のパラメータテーブル２１７に保存されている、現在表示中の映像信号に対応したソースＩＤの再生用パラメータを書き換える。
【０１２９】
なお、パラメータテーブルの新規ソースＩＤ追加処理、および既登録済ソースＩＤに対応する再生用パラメータおよびカウンタ値の更新処理について、詳細は後述する。
【０１３０】
制御部２１０は、パラメータテーブル２１７から、再生を行う、または行っている映像信号のソースＩＤに対応する再生用パラメータを読込み、映像補正部２１１および音声補正部２１２に上記再生用パラメータを通知する。
【０１３１】
（カウンタ値を利用したパラメータテーブル管理方法の概要）
図７は、パラメータテーブル２１７の一例を示す図である。
【０１３２】
パラメータテーブル２１７はＮ個のレコードを保存することができ、各レコードは、ソースＩＤと、上記ソースＩＤに対応する再生用パラメータと、上記ソースＩＤのカウンタ値とを含む。
【０１３３】
前述のように、制御部２１０は、出力装置１００から受け取ったソースＩＤがパラメータテーブル２１７に存在しているか否かを確認する。
【０１３４】
上記ソースＩＤがパラメータテーブル２１７に保存されていない場合、制御部２１０はまず、パラメータテーブル２１７に保存されているソースＩＤのカウンタ値を−１して更新する。
【０１３５】
上記ソースＩＤがパラメータテーブル２１７に保存されていない場合、上記ソースＩＤのカウンタ値をいったん「０」と見なし、上記「０」以上の値を有するカウンタ値を、つまり全てのカウンタ値を−１して更新するようにしてもよい。
【０１３６】
カウンタ値が０になったソースＩＤは削除され、その保存領域は空き領域となる。
【０１３７】
次に制御部２１０は、上記受け取ったソースＩＤを、上記受け取ったソースＩＤのカウンタ値を上記Ｎ（カウンタ値の最大値）として、パラメータテーブル２１７に追加する。
【０１３８】
上記受け取ったソースＩＤがパラメータテーブル２１７に保存されていた場合、制御部１０は、上記受け取ったソースＩＤのパラメータテーブル２１７への追加は行わず、パラメータテーブル２１７に保存されている各ソースＩＤのカウンタ値を更新する。カウンタ値の更新方法は下記の通りである。
【０１３９】
制御部２１０は、上記受け取ったソースＩＤの、パラメータテーブル２１７における現在のカウンタ値Ｘと、それ以外のソースＩＤのカウンタ値とを比較する。
【０１４０】
Ｘより大きなカウンタ値を有するソースＩＤについては、カウンタ値を−１して更新する。
【０１４１】
Ｘより小さなカウンタ値を有するソースＩＤについては、カウンタ値を変更しない。
【０１４２】
また、上記受け取ったソースＩＤのカウンタ値をＮに更新する。
【０１４３】
上記パラメータ管理方法を用いることで、使用頻度の高いソースＩＤのパラメータは初期化されづらく、使用頻度の低いソースＩＤのパラメータから優先的に初期化対象となる。
【０１４４】
さらに、最後に使用してから最も時間が経過したソースＩＤの検知に時刻情報を必要としないため、システムを簡略化することができる。
【０１４５】
パラメータテーブル２１７に保存されているソースＩＤのうち、カウンタ値がＮであるソースＩＤに該当する映像信号が、直近で映像装置２００が再生すべき映像信号である。
【０１４６】
パラメータテーブル２１７の管理は上記の自動的な更新の他に、ディスプレイ上に表示されるＯＳＤ（Ｏｎ  Ｓｃｒｅｅｎ  Ｄｉｓｐｌａｙ、オンスクリーンディスプレイ）を見ながら、ユーザ自身が上書きする保存領域を選択する手動更新方式、または一度記憶されたソースＩＤに対する保存領域の上書きを禁止する固定方式、またはこれらの方式を組み合わせた更新方式であってもよい。
【０１４７】
〔実施例１〕
（ソースＩＤの初回登録）
図２は、図１の表示装置２００が初めてソースＩＤを検知する前と後とでの、出力装置１００および表示装置２００の処理の概要を示すシーケンス図である。
【０１４８】
本実施例では、表示装置２００は記憶部２１６を備え、記憶部２１６中に有するパラメータテーブル２１７には、Ｐ１からＰ６までの６つのソースＩＤを保存できる。
【０１４９】
表示装置２００は、通信部２０３（映像信号取得部）を介して、３つの映像信号を有する出力装置１００と接続している。さらに表示装置２００は、通信部２０４（映像信号取得部）を介して、４つの映像信号を有する他の出力装置と接続している。
【０１５０】
なお、本実施例においては、説明の簡略化のため、出力装置１００および第２の出力装置は、さらに別の出力装置、すなわち外部装置とは接続していないものとする。しかし、出力装置１００および第２の出力装置が各々、さらに複数の外部装置と接続することは当然可能である。
【０１５１】
出力装置１００は、記憶部１８０中にソースＩＤテーブル１８１を有する。ソースＩＤテーブル１８１における、出力装置１００の機器ＩＤはＡであり、出力装置１００の有する各映像信号の映像信号ＩＤは、それぞれ１から３であるとする。従って、ソースＩＤテーブル１８１は、ソースＩＤとして少なくとも、Ａ１からＡ３の３つのソースＩＤを格納している。
【０１５２】
なお、本実施例においては、説明の簡略化のため、第２の出力装置は出力装置１００と同じ構成であるとする。
【０１５３】
同様に、第２の出力装置の機器ＩＤはＢであり、第２の出力装置の有する各映像信号の映像信号ＩＤは、それぞれ１から４であるとする。従って、第２の出力装置が保有しているソースＩＤテーブルは、ソースＩＤとして少なくとも、Ｂ１からＢ４の４つのソースＩＤを格納している。
【０１５４】
リモコン１５０または２０５から、表示装置２００で再生すべき映像信号を、出力装置１００の有する、映像信号ＩＤが２の映像信号とすべき旨の信号が発信される。
【０１５５】
上記信号を、リモコン信号受信部１６０またはリモコン信号受信部２０６が検知すると、出力装置１００および表示装置２００は、それぞれ下記のように動作する。
【０１５６】
（出力装置１００の動作）
出力装置１００では、リモコン信号受信部１６０が、リモコン１５０からの映像切り替え信号を受信し、ユーザが選択した映像信号を切替制御部１７０（生成部）に通知する。
【０１５７】
切替制御部１７０は、上記映像信号の映像信号ＩＤと、上記映像信号の機器ＩＤとを含むソースＩＤを、ソースＩＤテーブル１８１に予め格納されている基礎情報を基に、生成する。本実施例におけるソースＩＤは、映像信号ＩＤである２と、自らの機器ＩＤであるＡとを組み合わせたＡ２である。
【０１５８】
その後、切替制御部１７０は、上記ソースＩＤを、通信部１９０（出力部）を介して表示装置２００に出力する。
【０１５９】
出力装置１００は、上記ソースＩＤの出力後、出力装置１００の有する、映像信号ＩＤが２である映像信号を、通信部１９０を介して、表示装置２００に出力する。
【０１６０】
（表示装置２００の動作）
表示装置２００は、通信部２０３を介して、出力装置１００が出力した上記ソースＩＤを受け取る。受け取った上記ソースＩＤは、切替制御部２０７を経て、ソースＩＤ検出部２０８（取得部）によって検出され、制御部２１０へ送られる。
【０１６１】
制御部２１０は、上記ソースＩＤ、すなわちＡ２がパラメータテーブル２１７に既に保存されているか否かをチェックする。
【０１６２】
Ａ２はパラメータテーブル２１７に未登録であるので、制御部２１０は、Ａ２を、再生用パラメータとカウンタ値と共に、パラメータテーブル２１７に新規追加する。
【０１６３】
Ａ２はパラメータテーブル２１７に新規追加されるソースＩＤであるため、Ａ２に対応する再生用パラメータは、再生用パラメータのデフォルト値である。
【０１６４】
また、前述の通りパラメータテーブル２１７が保存できるソースＩＤの最大個数は６なので、前述のパラメータテーブル管理方法を適用し、Ａ２に対応するカウンタ値は６となる。
【０１６５】
制御部２１０は、パラメータテーブル２１７から、Ａ２に対応する再生用パラメータ、ここではＡ２のために用意された再生用パラメータのデフォルト値を読み込み、映像補正部２１１および音声補正部２１２に通知する。
【０１６６】
一方、切替制御部２０７は、通信部２０３を介して受け取った、Ａ２に該当する映像信号を、映像信号処理部２０９へ送る。
【０１６７】
映像信号処理部２０９は、上記映像信号を画像データと音声データとに分離し、画像データは映像補正部２１１に、音声データは音声補正部２１２に送る。
【０１６８】
映像補正部２１１は、上記画像データに対し、制御部２１０から通知された再生用パラメータに基づく補正を行った後、ディスプレイ２１４で表示する。
【０１６９】
音声補正部２１２は、上記音声データに対し、制御部２１０から通知された再生用パラメータに基づく補正を行った後、スピーカ２１５で出力する。
【０１７０】
（別のソースＩＤの初回登録と、既登録ソースＩＤのカウンタ値更新）
図３は、図２の状態に続いて、表示装置２００が別の映像信号への変更を検知する前と後とでの、出力装置１００および表示装置２００の処理の概要を示すシーケンス図である。
【０１７１】
リモコン１５０または２０５から、表示装置２００で再生すべき映像信号を、出力装置１００の有する、映像信号ＩＤが２の映像信号から、同じく出力装置１００の有する、映像信号ＩＤが１の映像信号へ変更すべき旨の信号が発信される。
【０１７２】
上記信号を、リモコン信号受信部１６０またはリモコン信号受信部２０６が検知すると、出力装置１００および表示装置２００は、それぞれ下記のように動作する。
【０１７３】
（出力装置１００の動作）
ユーザの選択した映像信号をリモコン信号受信部１６０から通知された切替制御部１７０は、まず、上記映像信号の映像信号ＩＤと、上記映像信号の機器ＩＤとを含むソースＩＤを、ソースＩＤテーブル１８１に予め格納されている基礎情報を基に、生成する。ここで、上記ソースＩＤは、映像信号ＩＤである１と、自らの機器ＩＤであるＡとを組み合わせたＡ１である。
【０１７４】
その後、切替制御部１７０は、上記ソースＩＤを、通信部１９０を介して表示装置２００に出力する。
【０１７５】
出力装置１００は、上記ソースＩＤの出力後、出力装置１００の有する、映像信号ＩＤが１である映像信号を、通信部１９０を介して、表示装置２００に出力する。
【０１７６】
（表示装置２００の動作）
表示装置２００は、通信部２０３を介して、出力装置１００が出力した上記ソースＩＤを受け取る。受け取った上記ソースＩＤは、切替制御部２０７を経て、ソースＩＤ検出部２０８によって検出され、制御部２１０へ送られる。
【０１７７】
制御部２１０は、上記ソースＩＤ、すなわちＡ１がパラメータテーブル２１７に既に保存されているか否かをチェックする。
【０１７８】
Ａ１はパラメータテーブル２１７に未登録であるので、制御部２１０は、Ａ１を、再生用パラメータとカウンタ値と共に、パラメータテーブル２１７に新規追加する。
【０１７９】
なお、制御部２１０は、Ａ１のパラメータテーブル２１７への追加に先行して、前述のパラメータテーブル管理方法を適用し、パラメータテーブル２１７に既登録の、ソースＩＤがＡ２のレコードについて、そのカウンタ値を「６」から−１した「５」に更新する。
【０１８０】
また、Ａ１はパラメータテーブル２１７に新規追加されるソースＩＤであるため、Ａ１に対応する再生用パラメータは、再生用パラメータのデフォルト値である。
【０１８１】
また、前述の通りパラメータテーブル２１７が保存できるソースＩＤの最大個数は６な
ので、前述のパラメータテーブル管理方法を適用し、Ａ１に対応するカウンタ値は６となる。
【０１８２】
制御部２１０は、パラメータテーブル２１７から、Ａ１に対応する再生用パラメータ、ここではＡ１のために用意された再生用パラメータのデフォルト値を読み込み、映像補正部２１１および音声補正部２１２に通知する。
【０１８３】
一方、切替制御部２０７は、通信部２０３を介して取得した、Ａ１に該当する映像信号を、映像信号処理部２０９へ送る。
【０１８４】
映像信号処理部２０９は、上記映像信号を画像データと音声データとに分離し、画像データは映像補正部２１１に、音声データは音声補正部２１２に送る。
【０１８５】
映像補正部２１１は、上記画像データに対し、制御部２１０から通知された再生用パラメータに基づく補正を行った後、ディスプレイ２１４で表示する。
【０１８６】
音声補正部２１２は、上記音声データに対し、制御部２１０から通知された再生用パラメータに基づく補正を行った後、スピーカ２１５で出力する。
【０１８７】
（既登録ソースＩＤに該当する映像信号の表示）
図４は、図３の状態に続いて、表示装置２００が既登録済みソースＩＤに対応する映像信号への変更を検知する前と後とでの、出力装置１００および表示装置２００の処理の概要を示すシーケンス図である。
【０１８８】
リモコン１５０または２０５から、表示装置２００で再生すべき映像信号を、出力装置１００の有する、映像信号ＩＤが１の映像信号から、同じく出力装置１００の有する、映像信号ＩＤが２の映像信号へ変更すべき旨の信号が発信される。
【０１８９】
上記信号を、リモコン信号受信部１６０またはリモコン信号受信部２０６が検知すると、出力装置１００および表示装置２００は、それぞれ下記のように動作する。
【０１９０】
（出力装置１００の動作）
出力装置１００では、前述と同様に、切替制御部１７０が、ソースＩＤテーブル１８１に予め格納されている基礎情報を基に、ユーザが選択した映像信号のソースＩＤであるＡ２を生成し、上記ソースＩＤを、通信部１９０を介して表示装置２００に出力する。
【０１９１】
上記ソースＩＤの出力後、出力装置１００はＡ２に該当する映像信号を出力する。
【０１９２】
（表示装置２００の動作）
前述と同様に制御部２１０では、ソースＩＤ検出部２０８に検出されたＡ２が、パラメータテーブル２１７に既に保存されているか否かを、制御部２１０がチェックする。
【０１９３】
制御部２１０は、前述のパラメータテーブル管理方法を適用し、Ａ２がパラメータテーブル２１７に既登録であるのを確認した後、Ａ１のカウンタ値を「６」から−１して「５」に更新し、Ａ２のカウンタ値を「６」に更新する。
【０１９４】
制御部２１０がＡ２に対応する再生用パラメータを読み込み、映像補正部２１１および音声補正部２１２に通知する。
【０１９５】
映像信号処理部２０９は、Ａ２に該当する映像信号を画像データと音声データとに分離
し、画像データは映像補正部２１１に、音声データは音声補正部２１２に送る。
【０１９６】
映像補正部２１１は、上記画像データに対し、制御部２１０から通知された再生用パラメータに基づく補正を行った後、ディスプレイ２１４で表示する。
【０１９７】
音声補正部２１２は、上記音声データに対し、制御部２１０から通知された再生用パラメータに基づく補正を行った後、スピーカ２１５で出力する。
【０１９８】
（第２の出力装置が選択された場合の動作）
図５は、図４の状態に続いて、表示装置２００の取得する映像信号の出力元である出力装置が、出力装置１００から第２の出力装置に変更される前と後とでの、第２の出力装置および表示装置２００の処理の概要を示すシーケンス図である。
【０１９９】
リモコン２０５から、または第２の出力装置用のリモコンから、表示装置２００で再生すべき映像信号を、出力装置１００の有する、映像信号ＩＤが２の映像信号から、第２の出力装置の有する、映像信号ＩＤが１の映像信号へ、変更すべき旨の信号が発信される。
【０２００】
上記信号を、リモコン信号受信部３６０または第２の出力装置のリモコン信号受信部が検知すると、第２の出力装置および表示装置２００は、それぞれ下記のように動作する。
【０２０１】
（第２の出力装置の動作）
第２の出力装置では、ユーザの選択した映像信号を上記リモコン信号受信部から通知された第２の出力装置の切替制御部（生成部）が、上記映像信号の映像信号ＩＤおよび機器ＩＤを含むソースＩＤを、第２の出力装置の記憶部の中にあるソースＩＤテーブルに予め格納されている基礎情報を基に、生成する。ここで、上記ソースＩＤは、映像信号ＩＤである１と、自らの機器ＩＤであるＢとを組み合わせたＢ１である。
【０２０２】
その後、上記切替制御部は、上記ソースＩＤを、第２の出力装置の通信部（出力部）を介して表示装置２００に出力する。
【０２０３】
第２の出力装置は、上記ソースＩＤの出力後、第２の出力装置の有する、映像信号ＩＤが１である映像信号を、第２の出力装置の通信部を介して、表示装置２００に出力する。
【０２０４】
（表示装置２００の動作）
表示装置２００は、通信部２０４を介して、第２の出力装置が出力した上記ソースＩＤを受け取る。受け取った上記ソースＩＤは、切替制御部２０７を経て、ソースＩＤ検出部２０８（取得部）によって検出され、制御部２１０へ送られる。
【０２０５】
制御部２１０は、上記ソースＩＤ、すなわちＢ１が、記憶部２１６中のパラメータテーブル２１７に既に保存されているか否かをチェックする。
【０２０６】
Ｂ１はパラメータテーブル２１７に未登録であるので、制御部２１０は、Ｂ１を、再生用パラメータとカウンタ値と共に、パラメータテーブル２１７に新規追加する。
【０２０７】
なお、制御部２１０は、Ｂ１のパラメータテーブル２１７への追加に先行して、前述のパラメータテーブル管理方法を適用し、パラメータテーブル２１７に既登録の、ソースＩＤがＡ２のレコードについて、そのカウンタ値を「６」から−１した「５」に更新する。ソースＩＤがＡ１のレコードについては、そのカウンタ値を「５」から−１した「４」に更新する。
【０２０８】
また、Ｂ１はパラメータテーブル２１７に新規追加されるソースＩＤであるため、Ｂ１に対応する再生用パラメータは、再生用パラメータのデフォルト値である。
【０２０９】
また、前述の通りパラメータテーブル２１７が保存できるソースＩＤの最大個数は６なので、前述のパラメータテーブル管理方法を適用し、Ｂ１に対応するカウンタ値は６となる。
【０２１０】
制御部２１０は、パラメータテーブル２１７から、Ｂ１に対応する再生用パラメータ、ここではＢ１のために用意された再生用パラメータのデフォルト値を読み込み、映像補正部２１１および音声補正部２１２に通知する。
【０２１１】
一方、切替制御部２０７は、通信部２０４を介して受け取った、Ｂ１に該当する映像信号を、映像信号処理部２０９へ送る。
【０２１２】
映像信号処理部２０９は、上記映像信号を画像データと音声データとに分離し、画像データは映像補正部２１１に、音声データは音声補正部２１２に送る。
【０２１３】
映像補正部２１１は、上記画像データに対し、制御部２１０から通知された再生用パラメータに基づく補正を行った後、ディスプレイ２１４で表示する。
【０２１４】
音声補正部２１２は、上記音声データに対し、制御部２１０から通知された再生用パラメータに基づく補正を行った後、スピーカ２１５で出力する。
【０２１５】
（パラメータテーブルに空き領域が無い状態での処理）
図６は、パラメータテーブルに空き領域が無い状態で、パラメータテーブルに登録されていないソースＩＤに対応する映像信号がユーザに選択された前と後とでの、第２の出力装置および表示装置２００の処理の概要を示すシーケンス図である。
【０２１６】
出力装置１００の映像信号１から３に対応するソースＩＤと、第２の出力装置の映像信号１から３に対応するソースＩＤとが、パラメータテーブル２１７に保存され、最大で６つのレコードを格納することのできるパラメータテーブル２１７には空き領域がない。
【０２１７】
上記状態でさらに、表示装置２００で再生すべき映像信号を、Ｂ１に該当する映像信号から、第２の出力装置の有する、映像信号ＩＤが４の映像信号へ変更すべき旨の信号が発信されたとする。
【０２１８】
上記信号を、第２の出力装置のリモコン信号受信部、またはリモコン信号受信部２０６が検知すると、第２の出力装置および表示装置２００は、それぞれ下記のように動作する。
【０２１９】
（第２の出力装置の動作）
第２の出力装置では、前述と同様に、第２の出力装置の切替制御部が、第２の出力装置のソースＩＤテーブルに予め格納されている基礎情報を基に、ユーザが選択した上記映像信号のソースＩＤであるＢ４を生成する。
【０２２０】
第２の出力装置は、第２の出力装置の通信部を介して、上記ソースＩＤを表示装置２００に出力した後、さらにＢ４に該当する映像信号を出力する。
【０２２１】
（表示装置２００の動作）
表示装置２００は、通信部２０４を介して、第２の出力装置が出力した上記ソースＩＤ
を受け取る。受け取った上記ソースＩＤは、切替制御部２０７を経て、ソースＩＤ検出部２０８によって検出され、制御部２１０へ送られる。
【０２２２】
制御部２１０は、Ｂ４がパラメータテーブル２１７に既に保存されているか否かをチェックする。
【０２２３】
Ｂ４はパラメータテーブル２１７に未登録であるので、制御部２１０は、Ｂ４を、再生用パラメータとカウンタ値と共に、パラメータテーブル２１７に新規追加する。
【０２２４】
なお、制御部２１０は、Ｂ４のパラメータテーブル２１７への追加に先行して、前述のパラメータテーブル管理方法を適用し、パラメータテーブル２１７に既登録のソースＩＤについて、各ソースＩＤのカウンタ値を、それぞれ−１して更新する。
【０２２５】
また、制御部２１０は、カウンタ値が０になったソースＩＤの行を削除する。ここでは、Ｂ２のカウンタ値が０になり、Ｂ２の行は削除される。
【０２２６】
Ｂ４は、Ｂ２が削除されることによって作成されたパラメータテーブル２１７の空き容量に追加される。
【０２２７】
Ｂ４は新規追加されるソースＩＤであるため、Ｂ４に対応する再生用パラメータは、再生用パラメータのデフォルト値である。
【０２２８】
また、前述の通りパラメータテーブル２１７が保存できるソースＩＤの最大個数は６なので、前述のパラメータテーブル管理方法を適用し、Ｂ４に対応するカウンタ値は６となる。
【０２２９】
制御部２１０は、パラメータテーブル２１７から、Ｂ４に対応する再生用パラメータ、ここではＢ４のために用意された再生用パラメータのデフォルト値を読み込み、映像補正部２１１および音声補正部２１２に通知する。
【０２３０】
一方、切替制御部２０７は、通信部２０４を介して受け取った、Ｂ４に該当する映像信号を、映像信号処理部２０９へ送る。
【０２３１】
映像信号処理部２０９は、上記映像信号を画像データと音声データとに分離し、画像データは映像補正部２１１に、音声データは音声補正部２１２に送る。
【０２３２】
映像補正部２１１は、上記画像データに対し、制御部２１０から通知された再生用パラメータに基づく補正を行った後、ディスプレイ２１４で表示する。
【０２３３】
音声補正部２１２は、上記音声データに対し、制御部２１０から通知された再生用パラメータに基づく補正を行った後、スピーカ２１５で出力する。
【０２３４】
出力装置１００は、映像信号の出力に際して、映像信号ごとに適用すべき再生用パラメータを表示装置２００に通知するのに、データ量の大きな、各映像信号ごとの再生用パラメータそのものを出力する必要が無い。
【０２３５】
一方、表示装置２００も、データ量の大きな、各映像信号ごとの再生用パラメータそのものを受け取る必要が無い。表示装置２００は、再生用パラメータに比べてデータ量の十分小さなソースＩＤを受け取るだけで、上記ソースＩＤに対応する映像信号の補正に適用すべき再生用パラメータを決定することができる。
【０２３６】
従って、出力装置１００が出力する映像信号の切換操作を行ってから、表示装置が上記映像信号の補正に適用すべき再生用パラメータを適用して上記映像信号を再生するまでの応答性が改善し、ユーザビリティが向上する。
【０２３７】
〔実施例２〕
（出力装置と表示装置との通信の切断および再接続時の復帰方法）
出力装置１００の通信部１９０（出力部）と、表示装置２００の通信部２０３とはワイヤレス接続している。
【０２３８】
通信部１９０と通信部２０３との電波状況が悪く、両者の間の通信が接続と切断とを繰り返す場合、出力装置１００と表示装置２００とは、それぞれ下記のように動作する。
【０２３９】
（出力装置１００の動作）
通信部１９０は、表示装置２００との通信の切断および接続を検知し、検知結果を切替制御部１７０（生成部）に通知する。
【０２４０】
通信部１９０によって、表示装置２００との再接続を通知された場合、切替制御部１７０は、現在選択中の映像信号に対応するソースＩＤを、ソースＩＤテーブル１８１から取得し、通信部１９０を介して、表示装置２００に出力する。ソースＩＤテーブル１８１は記憶部１８０中に保存されている。
【０２４１】
（表示装置２００の動作）
通信部２０３は、出力装置１００との通信の切断および接続を検知することができ、また、出力装置１００が発信するソースＩＤおよび映像信号を受け取ることができる。
【０２４２】
通信部２０３は、出力装置１００との再接続後に受け取る上記ソースＩＤを切替制御部２０７を介して、ソースＩＤ検出部２０８（取得部）に送る。ソースＩＤ検出部２０８は上記ソースＩＤを検出し、制御部２１０に通知する。
【０２４３】
制御部２１０は、記憶部２１６中のパラメータテーブル２１７から上記ソースＩＤに該当する再生用パラメータを読み込み、映像補正部２１１および音声補正部２１２に通知する。
【０２４４】
なお、通信部２０３は、出力装置１００との再接続を検知した場合、ソースＩＤではなく、再接続したことを示す情報のみを、切替制御部２０７およびソースＩＤ検出部２０８を介して、制御部２１０に通知するとしてもよい。
【０２４５】
再接続結果情報を通知された制御部２１０は、パラメータテーブル２１７から、カウンタ値がＮ（実施例１では６）であるソースＩＤに該当する再生用パラメータを読み込み、映像補正部２１１および音声補正部２１２に通知する。
【０２４６】
一方、切替制御部２０７は、通信部２０３を介して受け取った映像信号を、映像信号処理部２０９へ送る。
【０２４７】
映像信号処理部２０９は、上記映像信号を画像データと音声データとに分離し、画像データは映像補正部２１１に、音声データは音声補正部２１２に送る。
【０２４８】
映像補正部２１１は、上記画像データに対し、制御部２１０から通知された再生用パラメータに基づく補正を行った後、ディスプレイ２１４で表示する。
【０２４９】
音声補正部２１２は、上記音声データに対し、制御部２１０から通知された再生用パラメータに基づく補正を行った後、スピーカ２１５で出力する。
【０２５０】
再接続時に、出力装置１００はソースＩＤまたは再接続情報のいずれか一方のみを表示装置２００に出力すればよく、データ量の大きな再生用パラメータそのものを出力する必要が無い。
【０２５１】
一方、表示装置２００も、ソースＩＤまたは再接続情報のいずれか一方のみに基づいて再適用すべき再生用パラメータを決定できる。
【０２５２】
従って、再接続時に上述の再生用パラメータ再適用方法を用いることで、出力装置が再生用パラメータを全て再出力し、表示装置が再生用パラメータを再び受け取って再適用する方法と比較して、再生用パラメータの再適用のスピードを速めることができる。
【０２５３】
このことは、通信部１９０と通信部２０３との電波状況が悪い場合において、特に重要となる。
【０２５４】
〔実施例３〕
上記出力装置１００の変形例を以下説明する。図８は、本発明の一実施例に係る、チューナー機能のみを備える出力装置の一例を示す図である。
【０２５５】
（出力装置のハードウェア構成例）
出力装置４００は、アンテナ４１０と選局部４２０（生成部）とを持ち、多チャンネルのテレビ放送の受信に対応している。
【０２５６】
また、出力装置４００は、記憶部４８０中にソースＩＤテーブル４８１を有し、上記のテレビチャンネルを一意に特定するためのソースＩＤを、上記ソースＩＤテーブル４８１に予め格納している。
【０２５７】
なお、ソースＩＤは、各映像信号を識別する映像信号ＩＤと、下記の機器ＩＤとを組み合わせたＩＤである。
【０２５８】
機器ＩＤは、出力装置４００が出力する映像信号を受け取る表示装置、例えば表示装置２００に対して、出力装置４００を識別させるためのＩＤである。すなわち、出力装置４００が出力するソースＩＤを受け取った表示装置２００は、上記ソースＩＤに含まれる上記機器ＩＤによって、上記映像信号を出力装置４００から受け取ったことを識別することができる。
【０２５９】
表示装置２００は、上記ソースＩＤに含まれる上記映像信号ＩＤによって、例えば、地上デジタル放送とＢＳ放送とを区別することができるほか、どのチャンネルの放送か、さらに標準放送なのかそれともハイビジョン放送なのかといった識別を行うことができる。
【０２６０】
出力装置４００は、リモコン４５０から送信された映像切り替え信号をリモコン信号受信部４６０で受信し、上記映像切替信号を選局部４２０に通知する。
【０２６１】
選局部４２０は通知された映像切替信号に基づいて該当する映像信号を受信するとともに、上記映像信号に該当する映像信号ＩＤを、ソースＩＤテーブルから読込み、まず上記ソースＩＤを、通信部４９０（出力部）を介して表示装置２００へ出力する。
【０２６２】
選局部４２０は、上記ソースＩＤの出力後、上記映像信号を、同じく通信部４９０を介して表示装置２００へ出力する。
【０２６３】
なお、上記映像信号は当然、映像信号毎の再生用パラメータにより補正される前の映像信号である。
【０２６４】
〔実施例４〕
図９は、本発明の一実施例に係る、プレイヤ機能のみを備える出力装置の一例を示す図である。
【０２６５】
（出力装置のハードウェア構成例）
出力装置５００は、再生部５２１（生成部）を有し、再生部５２１は、映像信号を記録した媒体から映像信号を読込むことができる。
【０２６６】
また、出力装置５００は、記憶部５８０中にソースＩＤテーブル５８１を有し、再生部５２１が読込んだ上記映像信号を一意に特定するためのソースＩＤを、上記ソースＩＤテーブル５８１に予め格納している。
【０２６７】
なお、ソースＩＤは、前述のように、各映像信号を識別する映像信号ＩＤと、下記の機器ＩＤとを組み合わせたＩＤである。
【０２６８】
機器ＩＤは、出力装置５００が出力する映像信号を受け取る表示装置、例えば表示装置２００に対して、出力装置５００を識別させるためのＩＤである。すなわち、出力装置５００が出力するソースＩＤを受け取った表示装置２００は、上記ソースＩＤに含まれる上記機器ＩＤによって、上記映像信号を出力装置５００から受け取ったことを識別することができる。
【０２６９】
上記映像信号ＩＤは、再生部５２１が再生する媒体が記憶している映像信号の種類ごとに異なる。
【０２７０】
すなわち、上記映像信号ＩＤは少なくとも、地上デジタル放送番組を録画した媒体なのか、それともＢＳ放送を録画した媒体なのかによって異なる。また、どのチャンネルの放送を録画した媒体なのかによっても異なるし、さらに標準放送番組を録画した媒体なのか、それともハイビジョン放送番組を録画した媒体なのかによっても異なる。
【０２７１】
出力装置５００は、リモコン５５０から送信された再生制御信号をリモコン信号受信部５６０で受信し、リモコン信号受信部５６０は上記再生制御信号を再生部５２１に通知する。
【０２７２】
ここで、再生制御信号とは、再生と停止と早送りと巻戻しとを含む、上記媒体に記録されている映像信号の再生に係る制御を指令する信号である。
【０２７３】
再生部５２１は上記再生制御信号に基づき、映像信号の読込を実行し、上記再生制御信号に基づく制御を実行した映像信号を、通信部５９０（出力部）を介して表示装置２００に出力する。なお「再生制御信号に基づく制御を実行した映像信号」とは、例えば通常再生、または停止、または早送り、または巻戻しの実行された映像信号を指す。
【０２７４】
上記映像信号の出力前に、再生部５２１は、対応するソースＩＤをソースＩＤテーブル５８１から読み込み、通信部５９０を介して、表示装置２００に上記ソースＩＤを出力する。
【０２７５】
上記ソースＩＤの出力後、出力装置５００は、通信部１９０を介して、表示装置２００へ上記映像信号を出力する。なお、上記映像信号は当然、映像信号毎の再生用パラメータにより補正される前の映像信号である。
【０２７６】
〔実施例５〕
次に、表示装置２００の変形例を以下説明する。図１０は、本発明の一実施例に係る、映像再生機能のみを備える映像装置の一例を示す図である。
【０２７７】
（表示装置のハードウェア構成例）
表示装置６００は、通信部６０３（映像信号取得部）を有し、出力装置から出力されたソースＩＤ情報と映像信号とを受け取ることができる。
【０２７８】
また表示装置６００は、リモコン６０５から送信された映像切り替え信号を、リモコン信号受信部６０６で受信することができる。
【０２７９】
表示装置６００は、記憶部６１６中に、パラメータテーブル６１７を有し、ソースＩＤ毎に、適用すべき再生用パラメータを保持している。
【０２８０】
通信部６０３は、上記ソースＩＤを受け取ると、上記ソースＩＤをソースＩＤ検出部６０８（取得部）に送る。
【０２８１】
ソースＩＤ検出部６０８は上記ソースＩＤを検知し、検知した上記ソースＩＤを制御部６１０に送る。
【０２８２】
制御部６１０は、パラメータテーブル６１７から、上記ソースＩＤに対応する再生用パラメータを読み込み、映像補正部６１１および音声補正部６１２に通知する。
【０２８３】
通信部６０３が、出力装置の出力した映像信号を受け取ると、上記映像信号は、ソースＩＤ検出部６０８を経由して、映像信号処理部６０９へ送られる。
【０２８４】
映像信号処理部６０９は、上記映像信号を画像データと音声データとに分離し、画像データは映像補正部６１１に、音声データは音声補正部６１２に送る。
【０２８５】
映像補正部６１１は、上記画像データに対し、制御部６１０から通知された再生用パラメータに基づく補正を行った後、ディスプレイ６１４で表示する。
【０２８６】
音声補正部６１２は、上記音声データに対し、制御部６１０から通知された再生用パラメータに基づく補正を行った後、スピーカ６１５で出力する。
【０２８７】
また、映像信号表示中に、リモコン６０５から再生用パラメータの変更にかかる信号をリモコン信号受信部６０６が受信した場合、リモコン信号受信部６０６は、上記信号を制御部６１０へ送る。
【０２８８】
制御部２１０は、変更の要求があった再生用パラメータを、映像補正部６１１または音声補正部６１２のいずれか、あるいは両方に適用するとともに、パラメータテーブル６１７に保存されている、現在使用中の映像信号に対応したパラメータの書き換えを行う。
【０２８９】
なお、現在使用中の映像信号の識別に際しては、パラメータテーブル６１７に格納されているカウンタ値を利用することができる。なぜならば、前述のパラメータテーブル管理
方法に従えば、カウンタ値が最も大きいソースＩＤが、現在使用中の映像信号に対応するソースＩＤからである。
【０２９０】
なお、上記映像信号は、地上デジタル放送、ＣＳ放送、ＢＳ放送などの放送系ソースから供給される映像信号に限定されない。例えば、ＩＰＴＶやＶＯＤなどの通信系ソース、ハードディスクドライブや光ディスクドライブなどの媒体系ソース、又は、ウェブブラウザやＵＳＢアプリケーション（ＵＳＢメモリに格納されたコンテンツを再生するアプリケーション）などのアプリケーション系ソースから供給される映像信号も、上記映像信号の一例である。
【０２９１】
また上記映像信号は、動画像を表す映像信号に限定されず、静止画像を表す映像信号であってもよい。
【０２９２】
さらに上記映像信号は、アプリケーション系ソースから供給される映像信号のように、ＵＩ（ユーザインタフェース）を表す映像信号であってもよい。
【０２９３】
最後に、出力装置１００および表示装置２００の各ブロック、特に切替制御部１７０および制御部２１０は、ハードウェアロジックによって構成してもよいし、次のようにＣＰＵを用いてソフトウェアによって実現してもよい。
【０２９４】
すなわち、出力装置１００および表示装置２００は、各機能を実現する制御プログラムの命令を実行するＣＰＵ、上記プログラムを格納したＲＯＭ、上記プログラムを展開するＲＡＭ、上記プログラムおよび各種データを格納するメモリ等で構成された記憶部１８０および記憶部２１６、あるいは記録媒体などを備えている。
【０２９５】
そして、本発明の目的は、上述した機能を実現するソフトウェアである出力装置１００および表示装置２００の制御プログラムのプログラムコード（実行形式プログラム、中間コードプログラム、ソースプログラム）をコンピュータで読み取り可能に記録した記録媒体を、出力装置１００および表示装置２００に供給し、そのコンピュータ（またはＣＰＵやＭＰＵ）が記録媒体に記録されているプログラムコードを読み出し実行することによっても、達成可能である。
【０２９６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２９７】
また、出力装置１００および表示装置２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネット
ワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０２９８】
本発明は、表示装置が映像信号毎に適用すべき表示設定情報を有するが、表示設定情報の形式を含む表示装置および出力装置の各部の構成と、表示装置と出力装置との接続方法
について、種々の変更が可能である。また、請求項に開示した範囲で、異なる実施例にそれぞれ開示された技術的手段を適宜組み合わせて得られる実施例についても本発明の技術的範囲に含まれる。
【産業上の利用可能性】
【０２９９】
本発明は、映像信号を、上記映像信号毎に対応する再生用パラメータを適用して再生する装置に広く利用することができる。
【符号の説明】
【０３００】
１      表示システム
１００  出力装置
１７０  切替制御部（生成部）
１８０  記憶部
１９０  通信部（出力部）
１３０  外部映像入力（映像信号取得部）
１４０  外部映像入力（映像信号取得部）
２００  表示装置
２０８  ソースＩＤ検出部（取得部）
２１０  制御部
２１６  記憶部
２０３  通信部（映像信号取得部）
２０４  通信部（映像信号取得部）
２０７  切替制御部
４００  出力装置
４２０  選局部（生成部）
４８０  記憶部
４９０  通信部（出力部）
５００  出力装置
５２１  再生部（生成部）
５８０  記憶部
５９０  通信部（出力部）
６００  表示装置
６０８  ソースＩＤ検出部（取得部）
６１０  制御部
６１６  記憶部
６０３  通信部（映像信号取得部）
【図１】
2013229761.tif 000003
【図２】
2013229761.tif 000004
【図３】
2013229761.tif 000005
【図４】
2013229761.tif 000006
【図５】
2013229761.tif 000007
【図６】
2013229761.tif 000008
【図７】
2013229761.tif 000009
【図８】
2013229761.tif 000010
【図９】
2013229761.tif 000011
【図１０】
2013229761.tif 000012
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
映像信号を含む各種信号を表示装置に出力する出力部と、
当該表示装置に出力する映像信号の供給源と映像信号の種類とを少なくとも識別するためのソース識別情報を生成するための基礎情報を格納した記憶部と、
上記記憶部から上記基礎情報を読み出して、上記ソース識別情報を生成し、上記出力部に供給する生成部と、
を備えていることを特徴とする出力装置。
【請求項２】
上記基礎情報は、
上記出力装置と別の出力装置とを識別するための機器識別情報と、上記映像信号の種類を識別するための映像信号識別情報とを含んでいる
ことを特徴とする請求項１に記載の出力装置。
【請求項３】
上記生成部は、上記供給源と映像信号の種類とを特定し、上記記憶部から、特定した供給源と映像信号の種類とに対応する機器識別情報と映像信号識別情報とを読み出して、上記ソース識別情報を生成する
ことを特徴とする請求項２に記載の出力装置。
【請求項４】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記出力部に供給する切替制御部とをさらに備えている
ことを特徴とする請求項１から３のいずれか１項に記載の出力装置。
【請求項５】
上記映像信号識別情報は、上記映像信号の周波数帯域に対応して設定されたチャンネルと、上記映像信号のフォーマットとの少なくとも一方を識別するための情報を含んでいることを特徴とする請求項２に記載の出力装置。
【請求項６】
上記出力部は、上記出力装置と上記表示装置との通信の接続および切断を検知し、表示装置との通信が切断された後に再接続を検知した場合、切断前に表示装置に通知していたソース識別情報を上記記憶部から読み込み、上記表示装置に再通知する
ことを特徴とする請求項１から５のいずれか１項に記載の出力装置。
【請求項７】
上記出力部は、上記表示装置に対する上記映像信号の出力、および上記ソース識別情報の通知を無線で行う
ことを特徴とする請求項１から６のいずれか１項に記載の出力装置。
【請求項８】
出力装置より出力された映像信号を受け取り、当該映像信号が表す映像を再生する表示装置であって、
上記映像信号の供給源と映像信号の種類とを少なくとも識別するためのソース識別情報を、上記出力装置から取得する取得部と、
上記映像信号の表示のために、上記映像信号に適用するパラメータと、上記ソース識別情報との対応関係を格納した記憶部と、
上記取得部が取得した上記ソース識別情報に対応するパラメータを上記記憶部から読み出し、上記映像信号の補正に適用する再生用パラメータとして設定する制御部と、
を備えていることを特徴とする表示装置。
【請求項９】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記取得部に供給する切替制御部とをさらに備えている
ことを特徴とする請求項８に記載の表示装置。
【請求項１０】
上記出力装置と通信を行う通信部をさらに備え、
上記制御部は、上記通信部を介した上記出力装置との通信状態を検知するとともに、上記出力装置との通信が切断され、再接続されたことを検知した場合に、上記通信が切断される直前に、上記映像信号に適用していた上記パラメータを、上記記憶部から読み出す
ことを特徴とする請求項８または９に記載の表示装置。
【請求項１１】
上記制御部は、上記記憶部に格納することのできる上記ソース識別情報の最大個数Ｎ個から減算するカウンタを用いて、上記ソース識別情報と上記パラメータとの対応関係を管理し、
さらに、上記制御部は、新たに通知されたソース識別情報のカウンタ値を上記Ｎに設定するとともに、上記新たに通知されたソース識別情報以外のソース識別情報について上記Ｎ未満に設定することによって、
上記記憶部に格納された複数の上記ソース識別情報の中から、少なくとも、上記新たに通知されたソース識別情報を上記Ｎによって特定する
ことを特徴とする請求項８から１０のいずれか１項に記載の表示装置。
【請求項１２】
請求項１から７のいずれか１項に記載の出力装置と、
請求項８から１１のいずれか１項に記載の表示装置と
を含んでいる
ことを特徴とする表示システム。
【請求項１３】
請求項１から７の何れか１項に記載の出力装置が備えている各部、または、請求項８から１１のいずれか１項に記載の表示装置が備えている各部としてコンピュータを動作させるためのプログラム。
【請求項１４】
請求項１３に記載のプログラムを格納したコンピュータ読取可能な記録媒体。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
映像信号を含む各種信号を表示装置に出力する出力部と、
当該表示装置に出力する映像信号の供給源と映像信号の種類とを少なくとも識別するためのソース識別情報を生成するための基礎情報を格納した記憶部と、
上記記憶部から上記基礎情報を読み出して、上記ソース識別情報を生成し、上記出力部に供給する生成部と、
を備え、
上記ソース識別情報のデータ量は、上記表示装置が上記映像信号の表示のために上記映像信号に適用する再生用パラメータのデータ量よりも小さい
ことを特徴とする出力装置。
【請求項２】
上記基礎情報は、
上記出力装置と別の出力装置とを識別するための機器識別情報と、上記映像信号の種類を識別するための映像信号識別情報とを含んでいる
ことを特徴とする請求項１に記載の出力装置。
【請求項３】
上記生成部は、上記供給源と映像信号の種類とを特定し、上記記憶部から、特定した供給源と映像信号の種類とに対応する機器識別情報と映像信号識別情報とを読み出して、上記ソース識別情報を生成する
ことを特徴とする請求項２に記載の出力装置。
【請求項４】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記出力部に供給する切替制御部とをさらに備えている
ことを特徴とする請求項１から３のいずれか１項に記載の出力装置。
【請求項５】
上記映像信号識別情報は、上記映像信号の周波数帯域に対応して設定されたチャンネルと、上記映像信号のフォーマットとの少なくとも一方を識別するための情報を含んでいることを特徴とする請求項２に記載の出力装置。
【請求項６】
上記出力部は、上記出力装置と上記表示装置との通信の接続および切断を検知し、表示装置との通信が切断された後に再接続を検知した場合、再接続したとの情報のみを、上記表示装置に通知する
ことを特徴とする請求項１から５のいずれか１項に記載の出力装置。
【請求項７】
上記出力部は、上記表示装置に対する上記映像信号の出力、および上記ソース識別情報の通知を無線で行う
ことを特徴とする請求項１から６のいずれか１項に記載の出力装置。
【請求項８】
出力装置より出力された映像信号を受け取り、当該映像信号が表す映像を再生する表示装置であって、
上記映像信号の供給源と映像信号の種類とを少なくとも識別するためのソース識別情報を、上記出力装置から取得する取得部と、
上記映像信号の表示のために、上記映像信号に適用するパラメータと、上記ソース識別情報との対応関係を格納した記憶部と、
上記取得部が取得した上記ソース識別情報に対応するパラメータを上記記憶部から読み出し、上記映像信号の補正に適用する再生用パラメータとして設定する制御部と、
を備え、
上記ソース識別情報のデータ量は、上記再生用パラメータのデータ量よりも小さい
ことを特徴とする表示装置。
【請求項９】
上記映像信号を第１の映像信号とすると、
上記出力装置とは別の出力装置から出力された第２の映像信号を取得する映像信号取得部と、
上記第１の映像信号と、上記第２の映像信号とを切り替えて、上記取得部に供給する切替制御部とをさらに備えている
ことを特徴とする請求項８に記載の表示装置。
【請求項１０】
上記出力装置と通信を行う通信部をさらに備え、
上記制御部は、上記通信部を介した上記出力装置との通信が切断された後、上記出力装置から、再接続したとの情報のみを受信して、上記通信が切断される直前に、上記映像信号に適用していた上記パラメータを、上記記憶部から読み出す
ことを特徴とする請求項８または９に記載の表示装置。
【請求項１１】
上記制御部は、上記記憶部に格納することのできる上記ソース識別情報の最大個数Ｎ個から減算するカウンタを用いて、上記ソース識別情報と上記パラメータとの対応関係を管理し、
さらに、上記制御部は、新たに通知されたソース識別情報のカウンタ値を上記Ｎに設定するとともに、上記新たに通知されたソース識別情報以外のソース識別情報について上記Ｎ未満に設定することによって、
上記記憶部に格納された複数の上記ソース識別情報の中から、少なくとも、上記新たに通知されたソース識別情報を上記Ｎによって特定する
ことを特徴とする請求項８から１０のいずれか１項に記載の表示装置。
【請求項１２】
請求項１から７のいずれか１項に記載の出力装置と、
請求項８から１１のいずれか１項に記載の表示装置と
を含んでいる
ことを特徴とする表示システム。
【請求項１３】
請求項１から７の何れか１項に記載の出力装置が備えている各部、または、請求項８から１１のいずれか１項に記載の表示装置が備えている各部としてコンピュータを動作させるためのプログラム。
【請求項１４】
請求項１３に記載のプログラムを格納したコンピュータ読取可能な記録媒体。